(57)【要約】  ウェアラブルデバイスと連動する移動端末制御方法が開示される。本発明の方法は、使用者が消耗すべき目標カロリーに対応して、複数の運動、各々の運動を遂行する強度、及び各々の運動を遂行する時間を推薦して表示して、ウェアラブルデバイスから受信する使用者の運動データを受信して、現在の運動している強度を表示して、現在の運動の強度の推薦強度に対する割合を表示する。【選択図】図２
2019500982.tif 000002
【特許請求の範囲】
【請求項１】
使用者が身体所定部位に着用するウェアラブルデバイスと連動する移動端末の制御方法において、
使用者が消耗すべき目標消費カロリーに対する入力を受信するか、または減量すべき体重に対する入力を受信して目標消費カロリーを決める段階；
前記目標消費カロリーに対応して、複数の運動の種類、各々の運動を遂行する推薦強度、及び各々の運動を遂行する推薦時間を表示する段階；
使用者が前記ウェアラブルデバイスを着用する間に持続的に前記ウェアラブルデバイスが認知した使用者の運動の種類のデータをリアルタイムで受信して、現在使用者が遂行している運動の種類及び強度を表示する段階；及び
現在使用者が遂行している運動の強度の推薦強度に対する割合及び現在使用者が遂行している運動の強度で前記目標消費カロリーを消耗するために求められる時間を表示する段階を含む、移動端末制御方法。
【請求項２】
前記表示する段階は、
現在使用者が遂行している運動によって消耗するカロリーを前記目標消費カロリーと共にさらに表示する、請求項１に記載の移動端末制御方法。
【請求項３】
ディスプレイ部；及び
使用者が消耗すべき目標消費カロリーに対する入力を受信するか、または減量すべき体重に対する入力を受信して目標消費カロリーを決めて、前記目標消費カロリーに対応して、複数の運動の種類、各々の運動を遂行する推薦強度、及び各々の運動を遂行する推薦時間を前記ディスプレイ部に表示して、使用者がウェアラブルデバイスを着用する間に持続的に前記ウェアラブルデバイスが認知した使用者の運動の種類のデータをリアルタイムで受信して、現在使用者が遂行している運動の種類及び強度を前記ディスプレイ部に表示して、現在使用者が遂行している運動の強度の推薦強度に対する割合及び現在使用者が遂行している運動の強度で前記目標消費カロリーを消耗するために求められる時間を前記ディスプレイ部に表示する制御部を含む、移動端末制御装置。
【請求項４】
前記制御部は、現在使用者が遂行している運動によって消耗するカロリーを前記目標消費カロリーと共にさらに表示する、請求項３に記載の移動端末制御装置。
【発明の詳細な説明】
【技術分野】
【０００１】
本発明は、ウェアラブルデバイスと連動する移動端末制御方法及び装置に関する。
【背景技術】
【０００２】
現代人は、身体活動の不足と不規則な食習慣などによって姿勢の不均衡、肥満などの成人病が問題になっている。これに伴い、健康及び運動に対する関心が高まっていて、様々な運動器具または運動システムが開発されている。
【０００３】
一方、近年使用者が着用して健康をチェックする様々なウェアラブル機器が開示されていて、このようなウェアラブル機器は、運動システムと連動して使用者の運動量をチェックして、これを無線で連動される使用者端末を介して知らせている。
【０００４】
しかし、従来のウェアラブル機器の場合、使用者が運動を始める前にどの運動をするかをウェアラブル機器に入力して、グローバル・ポジショニング・システム（ｇｌｏｂａｌ  ｐｏｓｉｔｉｏｎｉｎｇ  ｓｙｓｔｅｍ、ＧＰＳ）を介して動いた距離を確認して消耗したカロリーを計算する方式であるため、使用者は自分がする運動を認知して入力しなければならない不便を招き、正確に消耗したカロリーを計算することは難しい問題点がある。
また、望む消費カロリーを消耗するためには、どのような運動をどの強度で何時間しなければならないのか計算しにくい問題点がある。
【発明の概要】
【発明が解決しようとする課題】
【０００５】
本発明が解決しようとする技術的課題は、目標消費カロリーに適合した運動を推薦し、現在の運動によって目標消費カロリーに到達するための情報、すなわち、運動の種類、運動強度及び運動時間を提供する、ウェアラブルデバイスと連動する移動端末制御方法及び装置を提供することである。
【課題を解決するための手段】
【０００６】
前記のような技術的課題を解決するために、使用者が身体所定部位に着用するウェアラブルデバイスと連動する本発明の一実施形態の移動端末の制御方法は、使用者が消耗すべき目標消費カロリーに対する入力を受信するか、または減量すべき体重に対する入力を受信して目標消費カロリーを決める段階；前記目標消費カロリーに対応して、複数の運動の種類、各々の運動を遂行する推薦強度、及び各々の運動を遂行する推薦時間を表示する段階；使用者が前記ウェアラブルデバイスを着用する間に持続的に前記ウェアラブルデバイスが認知した使用者の運動の種類のデータをリアルタイムで受信して、現在使用者が遂行している運動の種類及び強度を表示する段階；及び現在使用者が遂行している運動の強度の推薦強度に対する割合及び現在使用者が遂行している運動の強度で前記目標消費カロリーを消耗するために求められる時間を表示する段階を含むことができる。
【０００７】
本発明の一実施形態において、前記表示する段階は、現在使用者が遂行している運動によって消耗されるカロリーを前記目標消費カロリーと共にさらに表示することができる。
【０００８】
また、前記のような技術的課題を解決するために、本発明の一実施形態の移動端末制御装置は、ディスプレイ部；及び使用者が消耗すべき目標消費カロリーに対する入力を受信するか、または減量すべき体重に対する入力を受信して目標消費カロリーを決めて、前記目標消費カロリーに対応して、複数の運動の種類、各々の運動を遂行する推薦強度、及び各々の運動を遂行する推薦時間を前記ディスプレイ部にディスプレイして、使用者がウェアラブルデバイスを着用する間に持続的に前記ウェアラブルデバイスが認知した使用者の運動の種類のデータをリアルタイムで受信して、現在使用者が遂行している運動の種類及び強度を前記ディスプレイ部にディスプレイして、現在使用者が遂行している運動の強度の推薦強度に対する割合及び現在使用者が遂行している運動の強度で前記目標消費カロリーを消耗するために求められる時間を前記ディスプレイ部に表示する制御部を含むことができる。
【０００９】
本発明の一実施形態において、前記制御部は、現在使用者が遂行している運動によって消耗するカロリーを前記目標消費カロリーと共に前記ディスプレイ部にさらに表示することができる。
【発明の効果】
【００１０】
本発明は、使用者の運動データをウェアラブルデバイスから自動で持続的に受信して、使用者の消耗カロリーを管理して使用者の健康を管理することができ、使用者が消耗すべき運動の種類及び消費カロリーを提供してこれを消耗するための運動を推薦することによって、肥満に対する対策を積極的に提供する効果がある。
【図面の簡単な説明】
【００１１】
【図１】本発明の一実施形態に係るウェアラブルデバイスを使用者が着用したのを説明するための一例示図である。
【図２】本発明の一実施形態と関連した移動端末の構成図である。
【図３】制御部が使用者の運動を自動で認知して、それに対応する消耗カロリーを自動で計算してディスプレイした例を示した図である。
【図４】制御部が使用者の目標消費カロリーに対応する推薦運動をディスプレイした例を示した図である。
【発明を実施するための形態】
【００１２】
本発明の構成及び効果を十分に理解するために、添付図面を参照して本発明の好ましい実施形態を説明する。しかし本発明は以下で開示される実施形態に限定されるのではなく、様々な形態で具現することができ、様々な変更を加えることができる。本実施形態に対する説明は、単に本発明の開示が完全になるようにし、本発明が属する技術分野の通常の知識を有する者に発明の範疇を完全に知らせるために提供される。添付図面で構成要素は説明の便宜のためにその大きさを実際より拡大して図示し、各構成要素の割合は誇張されたり縮小されたりする。
【００１３】
ある構成要素が他の構成要素の「上に」にあるか「接して」いると記載された場合、他の構成要素上に直接接し、または連結されていてもよいが、中間にさらに他の構成要素が存在してもよいことが理解されなければならない。一方、ある構成要素が他の構成要素の「真上に」あるか「直接接して」いると記載された場合には、中間に他の構成要素が存在しないことが理解される。構成要素間の関係を説明する他の表現、例えば、「〜間に」と「直接〜間に」等も同様に解釈されることができる。
【００１４】
「第１」、「第２」等の用語は、様々な構成要素を説明するのに使用され得るが、前記構成要素は上の用語によって限定されるべきでなない。上の用語は一つの構成要素を他の構成要素から区別する目的にだけ使用されるべきである。例えば、本発明の権利範囲を逸脱せず「第１構成要素」とは「第２構成要素」と命名されることができて、同様に「第２構成要素」も「第１構成要素」と命名されることができる。
単数の表現は、文脈上明白に違うように表現しない限り、複数の表現を含む。「含む」または「有する」等の用語は、明細書上に記載された特徴、数字、段階、動作、構成要素、部分品またはこれらを組み合わせたものが存在することを指定するためのもので、一つまたはそれ以上の他の特徴や数字、段階、動作、構成要素、部分品またはこれらを組み合わせたものが付加できると解釈されることができる。
【００１５】
本発明の実施形態で使用される用語は、違うように定義されない限り、該当技術分野で通常の知識を有する者に通常知られた意味と解釈されることができる。
【００１６】
以下、添付図面を参照して本発明の好ましい実施形態を説明することによって本発明を詳細に説明する。
【００１７】
図１は、本発明の一実施形態に係るウェアラブルデバイスを使用者が着用した状態を説明するための一例示図である。
図面に示したように、本発明の一実施形態のウェアラブルデバイス１は、使用者が、例えば手首に着用したもので、使用者が所持する移動端末２と通信を介して連結されることができる。ただし、本発明の一実施形態においては、ウェアラブルデバイス１を使用者の手首に着用するのを例として示したが、これは例示的なもので、本発明がこれに限定されず、様々な身体部位に着用することもできる。
【００１８】
ウェアラブルデバイス１と使用者の移動端末２との連結は、様々な方式によって行われる。例えば、ブルートゥース（Ｂｌｕｅｔｏｏｔｈ；登録商標）、近距離通信（Ｎｅａｒ  Ｆｉｅｌｄ  Ｃｏｍｍｕｎｉｃａｔｉｏｎ、ＮＦＣ）、ジグビー（Ｚｉｇｂｅｅ（登録商標））のような近距離通信方式によって通信が行われてもよく、またはＲＦ方式によって通信が行われてもよく、ワイファイ（ＷｉＦｉ）または、ワイファイダイレクト（ＷｉＦｉ  Ｄｉｒｅｃｔ）のような様々な通信方式によって通信が行われる。ただし、前記で説明した通信方式は例示的なもので、本発明がこれに限定されず、その他技術の発展に応じて様々な通信方式によって通信が行われる。
【００１９】
移動端末２は、使用者が所持するもので、例えば携帯電話、スマートフォン、タブレットＰＣ、ノートパソコンなど移動可能な端末であってもよい。ただし、本明細書に記載された実施形態の構成は移動端末にだけ適用可能な場合を除くと、デジタルＴＶやデスクトップコンピュータなどのような固定端末にも適用される。
【００２０】
図２は、本発明の一実施形態と関連した移動端末の構成図である。
図面に示したように、本発明に関連する移動端末２は、制御部２０、通信部２１、使用者入力部２２、ディスプレイ部２３及び保存部２４を含むことができる。ただし、図２に図示された構成要素が必須ではなく、移動端末２がそれより多くの構成要素を有するかまたは少ない構成要素を有するように具現されてもよい。通常は移動端末２に具現されるが、本発明の動作とは関係の構成要素は説明を省略する。
【００２１】
通信部２１は、ウェアラブルデバイス１と移動端末２との間の通信を可能にする一つ以上のモジュールを含むことができる。ウェアラブルデバイス１と移動端末２との間の通信方式は、前記で説明したように様々な方式によって行われ、通信部２１は、通信方式に対応するモジュールを含むことができる。
【００２２】
使用者入力部２２は、使用者が移動端末２の動作制御のための入力データを発生させるモジュールであって、キーパッド（ｋｅｙ  ｐａｄ）、ドームスイッチ（ｄｏｍｅ  ｓｗｉｔｃｈ）、タッチパッド（定圧／定電）、ジョグホイール、ジョグスイッチのうちいずれか一つで構成されてもよい。
【００２３】
ディスプレイ部２３は、移動端末２で処理される情報、すなわち、制御部２０の制御によって処理される情報を視覚的に閲覧可能に表示することができ、液晶ディスプレイ（ｌｉｑｕｉｄ  ｃｒｙｓｔａｌ  ｄｉｓｐｌａｙ；ＬＣＤ）、薄膜トランジスター液晶ディスプレイ（ｔｈｉｎ  ｆｉｌｍ  ｔｒａｎｓｉｓｔｏｒ−ｌｉｑｕｉｄ  ｃｒｙｓｔａｌ  ｄｉｓｐｌａｙ；ＴＦＴ−ＬＣＤ）、有機発光ダイオード（ｏｒｇａｎｉｃ  ｌｉｇｈｔ−ｅｍｉｔｔｉｎｇ  ｄｉｏｄｅ；ＯＬＥＤ）、フレキシブルディスプレイ（ｆｌｅｘｉｂｌｅ  ｄｉｓｐｌａｙ）、３次元ディスプレイ（３Ｄ  ｄｉｓｐｌａｙ）のうち少なくとも一つを含むことができる。
【００２４】
ディスプレイ部２３とタッチ動作を感知するセンサ（タッチセンサ）が相互レイヤー構造をなす場合（以下、「タッチスクリーン」という）に、ディスプレイ部２３は、出力装置以外に入力装置である使用者入力部２２としても使用され得る。
【００２５】
保存部２４は、ウェアラブルデバイス１から受信される活動関連データを保存することができ、本発明のためにアプリケーション提供サーバ（図示せず）から提供されるアプリケーション関連データを保存することもできる。
【００２６】
制御部２０は、本発明の一実施形態と関連して、ウェアラブルデバイス１から自動で認知された使用者の活動の種類を受信して、消費されるカロリーを計算してこれをディスプレイ部２３にディスプレイして、目標消費カロリーを消費するために使用者がすべき運動を推薦して、また、現在使用者の運動に対して目標消費カロリーに到達するためにどの位運動を持続的にすべきかなど様々な情報を提供することができる。
【００２７】
以下では、本発明の制御部２０とウェアラブルデバイス１との間の動作を説明する。
本発明の一実施形態のウェアラブルデバイス１は自動で使用者の活動を認知して、これを分析することができる。本発明のウェアラブルデバイス１は、睡眠中の寝返りと目覚めた回数を認知するなど睡眠行動を認知することができ、休息、ＴＶ視聴、デスクワーク（ｄｅｓｋ  ｗｏｒｋ）等安定行動を認知することができる。また、清掃、皿洗い、運転など日常活動を認知することができ、手首の動きと関係なく、歩き活動を認知することができる。さらに、速歩き及びゆっくり走ることなどのファストワーキング（ｆａｓｔ  ｗａｌｋｉｎｇ）を認知することができ、室内外関係なくランニング（ｒｕｎｎｉｎｇ）を認知することができる。
【００２８】
このように、ウェアラブルデバイス１は、室内外ワーキング（ｗａｌｋｉｎｇ）、ファストワーキング（ｆａｓｔ  ｗａｌｋｉｎｇ）、ランニング（ｒｕｎｎｉｎｇ）、階段の上り下り、安静、軽い活動、睡眠（ｓｌｅｅｐｉｎｇ）、ゴルフ、ジャンピングロープ（ｊｕｍｐｉｎｇ  ｒｏｐｅ）、テニス、卓球、登山（絶対高度表示）、室内外自転車及び歩きや走る運動など少なくとも計１４の種類の運動を認知して、該当データを移動端末２に提供することができる。ただし、これは例示に過ぎず、本発明はこれに限定されない。
【００２９】
このような運動データは、使用者がウェアラブルデバイス１を着用する間に中断せず認知され、仮に使用者がウェアラブルデバイス１を着用せず運動をした場合、使用者入力部２２を介して運動内容を制御部２０に提供することもできる。
【００３０】
使用者の運動データを通信部２１を介して受信した制御部２０は、使用者の運動データに対応する消耗カロリーを計算して、これを表示することができる。
すなわち、制御部２０は、使用者がウェアラブルデバイス１を着用して活動をする場合、ウェアラブルデバイス１から使用者の行動データを受信して、該当行動に対応するカロリーをリアルタイムで計算して保存部２４に保存することができる。
【００３１】
図３は、制御部２０が使用者の運動を自動で認知して、それに対応する消耗カロリーを自動で計算してディスプレイした例を示したものである。
図面に示したように、制御部２０はウェアラブルデバイス１から受信した使用者の運動に対応して消耗するカロリーを運動別に表示することもでき（３Ａ）、総消耗カロリーを表示することもでき（３Ｂ）、また、時間別に消耗するカロリーを表示することもできる（３Ｃ）。
【００３２】
一方、使用者は使用者入力部２２を介して、自身が一日に消耗すべき目標消費カロリーを入力することができる。または、制御部２０は使用者の体重と運動量に応じて一日に消耗すべき目標消費カロリーを決めることもできる。
これにより、制御部２０は、目標消耗カロリーに対応する運動を推薦して、ディスプレイ部２３に表示することができる。
【００３３】
図４は、制御部２０が使用者の目標消費カロリーに対応する推薦運動を表示した例を示した。
図面に示したように、制御部２０は使用者の目標消費カロリーを使用者入力部２２を介して入力を受け付けるか、または減量すべき体重に対応して目標消費カロリーを計算することもできる。目標消費カロリーは、４Ａのように使用者が確認できるように表示できる。
【００３４】
このように目標消費カロリーに対応して、制御部２０は、ディスプレイ部２３の一部分に複数の推薦運動と、該当推薦運動の強度及び時間を表示することができる（４Ｂ）。
すなわち、図４の例において、歩き運動をして１５０ｋｃａｌを消耗するためには、３２分間４．５ｋｍ／ｈの速度で運動すげきで、速歩き運動をして１５０ｋｃａｌを消耗するためには、７．７ｋｍ／ｈの速度で１５分間運動すべきで、階段の上り下り運動をして１５０ｋｃａｌを消耗するためには、４５０階段を２０分間運動すべきで、走り運動をして１５０ｋｃａｌを消耗するためには、６ｋｍ／ｈの速度で１１分間運動すべきで、登山をして１５０ｋｃａｌを消耗するためには、軽いリュックサックを背負って普通歩きで１５分間運動すべきで、ゴルフ運動をして１５０ｋｃａｌを消耗するためには、普通歩きを２３分間運動すべきであることを表示することができる。ただし、これは例示的なもので、さらに多様な運動と強度、時間が推薦される。
【００３５】
また、制御部２０は、目標消費カロリーを消費するために推薦運動を提供するだけでなく、ウェアラブルデバイス１から受信される運動データから、現在の運動強度を表示して、推薦運動に対比して何％程度運動をしているかを使用者が閲覧可能に表示することができる。
【００３６】
すなわち、図４の例において、使用者は現在の歩き運動を４．３ｋｍ／ｈの速度（４Ｃ）にしていることが分かり、推薦運動（４Ｂ）で該当運動の強度に対応してどの程度の割合で運動しているかをバー形態（４Ｄ）で表示することができる。
ただし、これは例示的なもので、制御部２０がこれに限定して表示するのではない。すなわち、例えば、制御部２０は、現在の運動の強度で運動する場合、目標消費カロリーを消費するために運動すべき時間を決めて表示することもでき、または、現在の運動によって消耗するカロリーをリアルタイムで目標消費カロリーと共に表示することができる。
【００３７】
このように、制御部２０は、ウェアラブルデバイス１から認知された運動の種類を受信して、消耗するカロリーを計算して使用者に表示して、目標消費カロリーを消耗するためすべき運動、強度及び時間を推薦することができる。また、制御部２０は、現在の運動で目標消費カロリーに到達するために、現在の強度の推薦強度に対する割合を表示することができ、現在の運動で目標消費カロリーを消耗するために進行すべき時間を表示することもできる。
【００３８】
このように、制御部２０は、使用者の運動データをウェアラブルデバイス１から持続的に受信して、使用者の消耗カロリーを管理して使用者の健康を管理するだけでなく、使用者が消耗すべきカロリーを提供してこれを消耗するための運動を推薦することによって、肥満に対する対策を積極的に提供することができる。
【００３９】
以上、本発明に係る実施形態を説明したが、これは例示的なものに過ぎず、当分野で通常の知識を有する者なら、これから様々な変形及び均等な範囲の実施形態が可能である点を理解するであろう。したがって、本発明の真の技術的保護範囲は、特許請求の範囲によって定まらなければならない。
【図１】
2019500982.tif 000003
【図２】
2019500982.tif 000004
【図３】
2019500982.tif 000005
【図４】
2019500982.tif 000006
【国際調査報告】
2019500982.tif 000007
2019500982.tif 000008
2019500982.tif 000009
2019500982.tif 000010